(57)【要約】【課題】  外部電力を使用するが、ＥＬパネル近傍にはコ−ドを用いずに、複数のＥＬパネルを連携させて計画的な点灯制御を可能にするＥＬ薄型装飾装置の提供。【解決手段】  カ−テンレ−ルの如きレ−ル１に、横断面における開口辺両側辺の内側には長手方向にＥＬ駆動用電力ライン７、８と信号用電気ライン９、１０が具備されている。  一方、レ−ル１の任意位置に複数個係止されているＥＬ電飾部１１は、嵌合部３の両翼端部に、前記各ラインに対応したＥＬ駆動受電端子と信号受送電端子が具備されている。  前記複数のＥＬ電飾部は、前記レ−ルから電力供給を受け、且つ前記複数のＥＬ制御駆動装置同士が制御用同期信号を共有するＥＬコ−ドレス点灯制御パネルを提供した。  前記複数のＥＬ電飾部の同時点灯や順次点灯など、計画的に連携させて効果的な点灯制御することを可能にした。【選択図】              図１
2007034240.tif 000002
【特許請求の範囲】
【請求項１】
ＥＬコ−ドレス点灯制御パネルにおいて、
ＥＬパネルを具備するＥＬ電飾部が、レ−ルの長手方向の任意位置に係止され、前記ＥＬパネルが点灯する方式であって、
前記レ−ルの横断面は、英字のＣ字形の如き四辺からなり、辺の中央部が英字のＣ字形の右側の如く開口する開口辺、前記開口辺に対向する奥辺、前記開口辺と前記奥辺に直角で互いに対向する二つの側辺からなり、
前記二つの側辺の内側には、レ−ルの長手方向に、一対のＥＬ駆動用電力ライン、ならびに一対の信号用電気ラインが形成されていて、
前記レ−ルに係止される前記ＥＬ電飾部には、嵌合部、頸部および台座部からなる翼状係止具を備え、
前記翼状係止具の前記嵌合部の翼状形の両先端には、前記ＥＬ駆動用電力ラインに接続しているＥＬ駆動受電端子、ならびに前記信号用電気ラインに接続している信号受送電端子を具備していて、
前記レ−ルへの前記嵌合部と、ＥＬ駆動用受電端子および信号受送電端子とが兼用になっていて、
前記レ−ルに前記ＥＬ電飾部が係止状態においては、
前記レ−ル横断面に対し、前記ＥＬ電飾部の前記嵌合部は翼状形で、前記レ−ルの前記二つの側辺に夾持され、且つ、前記レ−ルの前記開口辺においては前記嵌合部と前記台座部とで夾持されることで、前記レ−ルに係止され、
前記ＥＬ駆動用電力ラインから前記ＥＬ電飾部が電力を受電して前記ＥＬパネルが点灯可能状態となり、且つ、前記信号用電気ラインから信号を受けること、あるいは自己のＥＬ電飾部の信号を前記信号用電気ラインに送ることが可能な状態となり、
前記ＥＬ電飾部を前記レ−ル長手方向に平行に回転することによって得られる、前記レ−ルに非係止状態においては、
前記レ−ルの長手方向へ前記ＥＬ電飾部を移動することが可能な、あるいは前記レ−ルから前記ＥＬ電飾部を着脱することが可能な状態となり、
前記レ−ルに複数のＥＬ電飾部が係止されているとき、前記複数のＥＬ電飾部が前記ＥＬ駆動用電力ラインから電力の供給を受け、
且つ、前記信号用電気ラインによって前記複数のＥＬ電飾部のＥＬ制御駆動装置同士が同期信号を共有することにより、
前記複数のＥＬ電飾部が計画的に連携して、前記複数のＥＬ電飾部のＥＬパネルの同時点灯や順次点灯などの、視覚効果が得られることを特徴とする、
ＥＬコ−ドレス点灯制御パネル。
【請求項２】
フリ−状態の前記レ−ルにおける、前記二側辺の内側間の長さよりも、前記ＥＬ電飾部の前記翼状係止具の前記嵌合部の翼状形の両先端間長を長くすることによって、
前記ＥＬ電飾部が前記レ−ルに係止しているときに、前記レ−ルの横断面方向の弾性により、前記嵌合部の前記翼状形の両先端に具備されているＥＬ駆動受電端子、ならびに信号受送電端子を挟持している前記レ−ル横断面がフリ−状態に戻ろうとする押圧力が掛かり、前記レ−ルへの前記ＥＬ電飾部の係止が確実化するとともに、レ−ルの長手方向の前記ＥＬ駆動用電力ラインと前記ＥＬ駆動受電端子、ならびに前記信号用電気ラインと前記信号受送電端子の電気的接触を確実化させることを特徴とする、
請求項１に記載するＥＬコ−ドレス点灯制御パネル。
【請求項３】
前記ＥＬ電飾部において、
前記ＥＬ駆動用電力ラインに接続されるべきＥＬ駆動受電端子、ならびに前記信号用電気ラインに接続されるべき信号受送電端子が具備され、
ＥＬインバ−タ部、点灯パタ−ン信号発生回路部、ならびに同期信号回路部からなるＥＬ制御駆動装置が具備されていて、
前記ＥＬ制御駆動装置で、複数の前記ＥＬ電飾部のＥＬパネルの点灯制御が、連携して行われることを特徴とする、
請求項１、および２に記載するＥＬコ−ドレス点灯制御パネル。
【発明の詳細な説明】
【技術分野】
【０００１】  本発明は、ＥＬ（Ｅｌｅｃｔｒｏ  Ｌｕｍｉｎｅｓｃｅｎｃｅ）素子を利用する電飾装置に関し、さらに詳しくは電界発光型ＥＬによるＥＬパネルに係わる。
【背景技術】
【０００２】  ＥＬは通常、電界発光機構に基づく現象を利用した、無機ＥＬあるいは真性ＥＬのことを指す。
無機ＥＬには、構造的に発光層として粉末状の蛍光体を用いた分散型ＥＬ素子と、緻密な薄膜で構成された薄膜型ＥＬ素子とがある。【０００３】  無機ＦＬ素子の断面構造を分散型ＥＬ素子パネルで説明すると、ＥＬ素子部は、発光面側から透明電極層、ＥＬ発光層、絶縁体層、背面電極層の順の積層構造であり、これに表裏外面を保護する保護層を積層してＥＬ素子パネルとする。
ＥＬ素子パネルの各層を薄くすることで、かなり薄い発光パネルとすることが可能で、厚さは０．６ｍｍ程度の薄いＥＬ素子パネルが存在する。【０００４】  ＥＬ素子において、透明電極層と背面電極層に交流電圧を印加すると、電極からの高電界によって界面準位からの電子がトンネル効果によって発光層に注入され、発光層中の発光粉末にトラップされている正孔と再結合して発光する。
透明電極層は、ＩＴＯ（Ｉｎｄｉｕｍ  Ｔｉｎ  Ｏｘｉｄｅ）などのシ−トが使われ、発光色、発光パタ−ンなどによって、発光層と絶縁層とを十数層重ねることもある。
発光材料には、Ｓｒ（ストロンチウム）、Ｇａ（ガリウム）、Ｓ（硫黄）、Ｓｅ（セリウム）などが使用される。
保護層は、ＰＥＴ（ポリエステル）などのシ−トをラミネ−ト法などで形成する。【０００５】  ＥＬ素子シ−トは、大面積の発光が可能で、携帯電話の液晶ディスプレイのバックライトなどにも使われている。
曲面発光、多色発光、多色分割発光、点滅など広範囲の発光が可能なので、マ−キング、標識、装飾用イルミネ−ションなどが、場所をとらずに比較的簡便な装置で可能となる。
なかでも、人の注意を喚起する必要のある小型のマ−キングや標識などには好適な発光素子である。【０００６】  ＥＬ素子を点灯させるためには電力の供給が必要である。
一方、架台の任意の位置にある電気機器に、コ−ドを使わずに電力を供給する方法に関しては、代表例として次のような開示がある。
【特許文献１】  特開平５−２７５１３３
【特許文献２】  特開平７−２４５８９１
なお、引用文献からの引用文、およびその説明は、前記引用文の表現をそのまま用いるものとする。【０００７】  「特許文献１」は、複数の電気機器を長手方向に列設できる取付装置の開示である。
「特許文献１」の段落番号「００１４」に、「・・この端子台２は、まず係合爪２ｄを取付装置１の一方の翼部１ｂに係合した後、突出部２ｃを他方翼部１ｃに向かって押し込むと、係止片２ｅが他方翼部１ｃを乗り越えて係止されて取付装置１に取り付けられるとともに、接続片２ｇの先端部が一方の導電ライン１ｈに接触圧を有して当接し、電磁リレ−Ｒのコイルの一方端が導電ライン１ｈに接続される」、と開示されている。
つまり、長手方向に導電ラインを具備した取付装置に、電気機器をはめ込む機構と、この機構とは別個の電気機器に具備する電車のパンタグラフ式の如き導電板で導電ラインから電気を取り込むことの開示である。【０００８】  「特許文献２」は、負荷線を２次側とするコアを、レ−ルに付随する高周波誘導コ−ドの任意の位置に移動することができる非接触タイプの配線システムに関する開示である。
「特許文献２」の段落番号「００１２」に、「コ−ド３は、コア１に貫通するようにレ−ル２に沿って交流電力が給電される。実施例のコ−ド３はレ−ル２の下面に沿って配線されているが、コア１に貫通するようにレ−ル２の下面に沿って配線された往線３ａと、コア１に貫通しないようにレ−ル１の上面に沿って配線された復線（図示せず）からなる。
また実施例のコ−ド３は図６と同様に電源側電流トランスコア（図示せず）に鎖交し、電源側電流トランスコアの１次巻線に高周波電源（図示せず）を接続している」、と開示されている。
つまり、レ−ルに付随する高周波誘導コ−ドによる、無結線の給電システムの改良に関する開示である。
【発明の開示】
【発明が解決しようとする課題】
【０００９】  ＥＬパネルは、曲面発光、多色発光、多色分割発光、点滅など広範囲の発光が可能なので、マ−キング、標識、装飾用イルミネ−ションなどが、場所をとらずに比較的簡便な装置で面状発光が可能である。
ＥＬパネルのなかでも、店舗などのショ−ウインド−、商品棚、ショ−ケ−ス、また、見本市のブ−スにおける見本表示など、近くから見る人の注意を喚起することが目的の、小型の標識、小型のマ−キング、小ディスプレイなどに、小型ＥＬパネルを適用する場合が多々ある。【００１０】  外部電源からの配線を不要とするため、小型ＥＬパネル装置からなる電飾部に電池電源を具備させれば、外部電源からの配線は不要になるが、ある程度のサイズになる電源電池を含むＥＬインバ−タなどのＥＬ素子駆動部を、前記小型ＥＬパネル電飾装置側に、表面から見えないように具備させることには無理がある。
また、電源電池の容量の制約などからくる寿命の問題も生じる。
したがって、かような制約のない外部電力を利用する方が妥当と云わねばならない。【００１１】  小型ＥＬ電飾装置に外部電力を供給する場合コ−ドが必要であるが、ＥＬパネル（ディスプレイ部）の面積が大凡１００ｃｍ２程度以下を対象とした小型ＥＬパネル装置にコ−ドを使用すると、発光パネルが小型ゆえ、前記コ−ドが視野に入り目障りであり、美観を損ねる。
また、前記小型ＥＬパネル装置の位置変更などのため、ある程度長いコ−ドが必要で、前記コ−ドの仕舞いがよくないなどの欠陥がある。
さらに、コ−ドが断線したり、コ−ドの接触部が破損したりする問題点もある。【００１２】  また、「特許文献１」に開示がある如く、長手方向に導電ラインを具備した取付装置に、電気機器をはめ込む機構と、この機構とは別個の電気機器に具備する電車のパンタグラフ式の如き導電板で導電ラインから電気を取り込む方法。
また、「特許文献２」に開示がある如く、レ−ルに付随する高周波誘導コ−ドと２次コアによる、無結線の給電システム方法。
かような、大がかりで複雑な方法や機構は、人の注意を喚起することが目的の小型のマ−キングや標識などの、ＥＬパネルの面積が大凡１００ｃｍ２程度以下で、軽くて簡便な小型ＥＬシ−ト電飾装置には適用し難い。【００１３】  かようなことから、人の注意を喚起することが目的の小型のマ−キングや標識用などのための小型ＥＬパネル装置を適用するとき、前記小型ＥＬパネル装置のパネル近傍にコ−ドを用いずに、外部電力を使うことのできる簡潔な機構で、取扱いが簡単で、ＥＬパネルの点灯制御可能なＥＬ薄型電飾装置の提供が望まれている。
また、本発明は、同一発明者による先願発明であるところの、特願２００５−１２８６０５、発明の名称；「ＥＬコ−ドレスパネル」の改良特願である。【００１４】  本発明は、人の注意を喚起することが目的の小型のマ−キングや標識などに用いる小型ＥＬ薄型電飾装置において、外部電力を用い、ＥＬパネル近傍にコ−ドを用いずに、簡潔な機構で、取扱いが簡便な、複数のＥＬパネルの点灯制御が可能なＥＬ薄型装飾装置を提供することを目的とする。
【課題を解決するための手段】
【００１５】  発明者は鋭意検討の結果、次の発明に至った。
すなわち、ＥＬパネルを具備するＥＬ電飾部が、レ−ルの長手方向の任意位置に係止され、前記ＥＬパネルが点灯する方式のＥＬコ−ドレス点灯制御パネルである。
図１に示すレ−ル１の横断面は、英字のＣ字形の如き四辺からなり、図２の左図１８に描くように、辺の中央部が英字のＣ字形の右側の如く開口する開口辺２１、前記開口辺に対向する奥辺２２、前記開口辺と前記奥辺に直角で互いに対向する二つの側辺２３、２４からなる。
前記二つの側辺の内側には、図１あるいは図２の左図１８に描く如く、レ−ルの長手方向に、一対のＥＬ駆動用電力ライン７、８、ならびに一対の信号用電気ライン９、１０が形成されていて、前記レ−ルに係止される前記ＥＬ電飾部には、図３に描く嵌合部３、頸部５、および台座部４からなる翼状係止具を備えている。
前記翼状係止具の前記嵌合部の翼状形の両先端には、前記ＥＬ駆動用電力ラインに接続しているＥＬ駆動受電端子３６、３７、ならびに前記信号用電気ラインに接続している信号受送電端子３８、３９を具備していて、前記レ−ルへの前記嵌合部と、前記ＥＬ駆動用受電端子および前記信号受送電端子とが兼用になっている。
図１あるいは図３に描くように、前記レ−ルに前記ＥＬ電飾部が係止状態においては、前記ＥＬ電飾部は、前記レ−ル横断面において嵌合部３が翼状形で、前記レ−ルの前記二つの側辺に夾持され、且つ前記レ−ルの前記開口辺においては嵌合部３と台座部４とで夾持されることで前記レ−ルに係止され、ＥＬ駆動用電力ライン７、８から前記ＥＬ電飾部が電力を受電して前記ＥＬパネルが点灯可能状態となり、且つ、信号用電気ライン９、１０から信号を受けること、あるいは自己のＥＬ電飾部の信号を信号用電気ライン９、１０に送ることが可能な状態となる。
図１においてＥＬ電飾部１１を前記レ−ル長手方向に対し平行に、前記矢印１２方向に回転することによって得られる、前記レ−ルに非係止状態においては、図３の状態が図５の状態になって、前記レ−ルの長手方向へ前記ＥＬ電飾部を移動することが可能な、あるいは前記レ−ルから前記ＥＬ電飾部を矢印５５方向に着脱することが可能な状態となる。
また、前記レ−ルに複数のＥＬ電飾部が係止されているとき、前記複数のＥＬ電飾部が前記ＥＬ駆動用電力ラインから電力の供給を受け、且つ、信号用電気ライン９、１０によって前記複数のＥＬ電飾部のＥＬ制御駆動装置同士が同期信号を共有することにより、同時点灯や順次点灯など、前記複数のＥＬ電飾部のＥＬパネルの計画的な連携した点灯制御が可能になる。
以上の構成を特徴とする、ＥＬコ−ドレス点灯制御パネルの発明に至った。【００１６】  また、フリ−状態の前記レ−ルにおいて、図２の左図１８のレ−ル横断面図に描く二側辺２３、２４の内側間の長さよりも、前記嵌合部の翼状形の両先端間長を僅かに長くすることによって、前記ＥＬ電飾部が前記レ−ルに係止しているときに、前記レ−ルの横断面方向の弾性により、前記嵌合部の前記翼状形の両先端に具備されている前記ＥＬ駆動受電端子、ならびに前記信号受送電端子を挟持している前記レ−ル横断面が、フリ−状態に戻ろうとする押圧力が掛かり、前記レ−ルへの前記ＥＬ電飾部の係止が確実化するとともに、図３に描く如くレ−ルの長手方向の前記ＥＬ駆動用電力ライン７、８と前記ＥＬ駆動受電端子３６、３７、ならびに前記信号用電気ライン９、１０と前記信号受送電端子３８、３９の電気的接触を確実化させることを特徴とする、ＥＬコ−ドレス点灯制御パネルの発明である。【００１７】  さらに、前記ＥＬ電飾部において、図３に描く如く、ＥＬ駆動用電力ライン７、８に接続されるべきＥＬ駆動受電端子３６、３７、ならびに信号用電気ライン９、１０に接続されるべき信号受送電端子３８、３９が具備され、図６に示す如く、ＥＬインバ−タ部および、点灯パタ−ン信号発生回路７３、ならびに同期信号回路７４からなるＥＬ制御駆動装置６１、あるいは６２に示す如きＥＬ制御駆動装置が具備されていて、前記ＥＬ制御駆動装置６１、あるいは６２で、前記複数のＥＬ電飾部のＥＬパネルの点灯制御が連携して行われることを特徴とする、ＥＬコ−ドレス点灯制御パネルの発明である。
【発明の効果】
【００１８】（１）  カ−テンレ−ルの如き単純なレ−ルであって、レ−ルの片端から低圧電力が供給されていて、このレ−ルに単にＥＬ電飾部を係止するだけで、電力が供給されるので、ＥＬパネル近傍の目障りで邪魔なコ−ドが不要になり、見た目がスマ−トなＥＬコ−ドレス点灯制御パネルとなる。
（２）  レ−ルに係止するＥＬ電飾部側にＥＬインバ−タ部が具備され、さらに同期信号回路と点灯パタ−ン信号発生回路で複数のＥＬパネルの点灯制御が可能になる。
さらに、複数のＥＬ電飾部がレ−ルに係止する場合には、他のＥＬ電飾部からの信号を信号用電気ラインから受け、あるいは自己電飾部の信号を信号用電気ラインに送り、他のＥＬ電飾部と連携して、相互のＥＬ電飾部の点灯制御が行われるので、視覚アッピ−ル効果が極めて大きい。
（３）  レ−ルにＥＬ電飾部を係止する嵌合部と、電気接触端子とを兼ねているので、ＥＬ電飾部の着脱が簡単で便利である。
（４）  レ−ルに係止するＥＬ電飾部側にＥＬインバ−タが具備されているので、周波数の高い高圧の通電コ−ドを使用する場合に生起し易い、ＥＬ素子の背面電極とコ−ドの接触不良などの、コ−ド使用に伴う不具合が解消され、かつ安全である。
（５）  レ−ルの長手方向のＥＬ駆動用電力ラインが手に触れ難い場所にあり、さらに印加されている電圧が低圧であるので、極めて安全で、電撃や火災などを誘発しない。
【発明を実施するための最良の形態】
【００１９】  発明の実施の形態を実施例に基づき、図面を参照して説明する。
図１は、本発明のＥＬコ−ドレス点灯制御パネルの斜視部分略図である。
図１において、レ−ル１はレ−ルの一部であり、右側部分は省略しているが、図示している前記レ−ル部分と同様である。
本発明は、小型のマ−キングや標識などに用いる小型ＥＬパネルを対象にしているので、図１のＥＬパネル２で示す発光面のサイズの目安は、大凡１００ｃｍ２程度である。
また、レ−ル１は、断面サイズにおいては、レ−スカ−テンを吊ってスライドさせるカ−テンレ−ルのサイズ程度、長さは大凡１ｍ程度までの目安である。
但し、本発明の説明の便のためにこれらの値を表記するもので、前記ＥＬパネルの発光面のサイズ、ならびに前記レ−ルのサイズの目安値に本発明がこれに制約されるものではない。【００２０】  図２は、図１のＡ−Ａ断面、つまりレ−ル１の拡大横断面略図である。
図２の左図１８の横断面略図に描くように、レ−ル１の横断面は英字のＣ字形の四辺からなり、辺の中央部が英字のＣ字形の右側の如く開口している開口辺２１、前記開口辺に対向する奥辺２２、前記開口辺と前記奥辺に直角に互いに対向する二つの側辺２３、２４からなる。【００２１】  図１ならびに図２の左図１８に描くレ−ル１の前記両側辺の内側には、前記レ−ルの長手方向に一対のＥＬ駆動用電力ライン７、８が設けられていて、図１において描くのを省略しているレ−ル１の右端から電力が供給されている。
また、図１ならびに図２の左図１８に描くレ−ル１の両側辺２３、２４の内側には、前記レ−ルの長手方向に一対の信号用電気ライン９、１０が設けられていて、前記信号用電気ラインは同一レ−ルに係止する複数のＥＬ電飾部との、ＥＬパネルの点灯制御の連携のための信号用電気ラインである。
なお、ＥＬ駆動用電力ラインと信号用電気ラインは、おのおの一対づつあればよいので、例えば、一対のＥＬ駆動用電力ライン７、９、一対の信号用電気ライン８、１０としても、ＥＬ電飾部側の接触端子と対応していれば何等差し支えない。
しかしながら、混乱を避けるために、本発明においては、一対のＥＬ駆動用電力ラインを７と８、一対の信号用電気ライン９と１０として以降説明するものとする。【００２２】  図１のレ−ル１の左端、あるいは図２の左図１８のレ−ル横断面図において、レ−ル１が合成樹脂などの絶縁体の場合は、前記ＥＬ駆動用電力ライン７と８、前記信号用電気ライン９と１０のおのおの２条必要である。
しかしながら、前記ＥＬ駆動用電力ライン７と、前記信号用電気ライン９とを共通して、図２の中図１９の共通ライン２５の如く両者を兼ねていてもよい。
これを、導電性の金属製レ−ルの場合で説明する。
図２の中図１９は、絶縁シ−ト２８を介した一対のＥＬ駆動用電力ライン２５と２６、一対の信号用電気ライン２５と２７として、ライン２５を共通としてもよい。
図２の右図２０は導電性レ−ルの場合で、絶縁シ−ト２８を介したＥＬ駆動用電力ライン２６とレ−ル躯体２９とで一対のＥＬ駆動用電力ライン、同じく絶縁シ−トを介した信号用電気ライン２７とレ−ル躯体２９とで一対の信号用電気ラインとしてレ−ル躯体２９自身を共通ラインとしてもよい。
しかしながら、前記ＥＬ駆動用電力ラインと前記信号用電気ラインにおいて、機能としては実質的におのおの２条ずつ必要でり、本発明においては図２の中図１９、および右図２０の場合も、混乱を避けるため導電ラインは各２条と表現することにするものである。【００２３】  図１のレ−ル１には、レ−ル１の横断面のＣ字形の内部空間を利用して、翼状係止具でＥＬ電飾部１１がレ−ル１に係止されている。
図１において、レ−ル１への係止ＥＬ電飾部は１個の場合であるが、２個以上の複数個係止していても勿論よい。
図３は、図１のＢ−Ｂ断面の略図で、図１のＥＬ電飾部１１の部分断面を描いている。
ＥＬ電飾部１１は、ＥＬパネル２、ＥＬパネル２の裏側の嵌合部３と台座部４と頸部５からなる前記翼状係止具、およびＥＬインバ−タ部、同期信号回路、点灯パタ−ン信号発生回路を具備するＥＬ制御駆動装置６で構成されている。【００２４】  前記翼状係止具の先端の嵌合部３の両翼先端には、ＥＬ駆動受電端子３６、３７、ならびに信号受送電端子３８、３９が具備されている。
図１におけるＥＬ電飾部１１の係止状態では、図３に描くように、ＥＬ駆動用電力ライン７と８には、ＥＬ駆動受電端子３６と３７、ならびに信号用電気ライン９と１０には信号受送電端子３８と３９が接続していて、ＥＬ電飾部１１に具備するＥＬ駆動制御装置６が動作するようになっている。【００２５】  図４は、図１ならびに図３に描く、ＥＬ電飾部１１をレ−ル１に係止するための前記翼状係止具の嵌合部３、およびその頸部５の部分のみを示す拡大略図である。
左下段図４６は、電飾部９がレ−ル１に係止している状態のときのレ−ル１の横断面にに対する前記翼状係止具の嵌合部３の正面図である。
左上段図４５は嵌合部３の左下段図４６の正面図に対する平面図、右図４７は嵌合部３の左下段図４６の正面図に対する側面図を示していて、図法は三角法による。【００２６】  図４において、嵌合部３の両翼部４８、４９の先端には、ＥＬ駆動受電端子３６、３７が具備され、また、信号受送電端子３８、３９が具備されている。
図２の左図１８に描くレ−ル横断面に対して、前記翼状係止具の嵌合部３が、図４の左図４６の正面図状態でレ−ル１に嵌合されていれば、ＥＬ電飾部１１がレ−ル１に係止されると共に、ＥＬ駆動用電力ライン７と８にはＥＬ駆動受電端子３６と３７および信号用電気ライン９と１０には信号受送電端子３８と３９が接続される。【００２７】  図５は、前記電飾部の前記レ−ル長手方向への移動時や、前記電飾部の前記レ−ルから着脱時の前記翼状係止具の断面略図である。
前記翼状係止具の嵌合部３は、図４の右図４７の側面図の嵌合部３に示す側面状態で、図２におけるレ−ル１の横断面の開口辺１５の開口部に挿入されている状態を示している。
嵌合部３の前記側面は、レ−ル横断面に対して図４の右図４７の側面図状態で、前記側面の幅長５１は、その頸部５の径長よりやや長い程度で、図２の左図１８のレ−ル横断面図の開口辺２１の開口幅３０より小さい。
したがって、図５に描く如く、前記レ−ルの開口幅より前記嵌合部の幅が短いので、レ−ル１の長手方向へのＥＬパネル２と一体のＥＬ電飾部１１の移動、あるいはレ−ル１からＥＬ電飾部１１を矢印５５方向へ着脱することが可能になる。【００２８】  図３において、レ−ル１を固定し、嵌合部３と頸部５と台座部４とが一体であるＥＬパネル２を、レ−ル１の横断面に対して９０度回転させる、つまり頸部５を中心として、図３の紙面から起き上がるように９０度回転させると、図５に描く如く嵌合部３が図４の右図４７に描く側面図状態になり、レ−ル１の長手方向へのＥＬ電飾部１１の移動、あるいは前記開口辺の開口部から矢印５５の着脱方向に、容易に着脱させることができる状態となる。
これを図１で説明すれば、図１において長方形のＥＬパネル２がよこ長であるのを、矢印１２方向に９０度回転させ、たて長状態になるようにすることで、前記翼状係止具の嵌合部３が、図５に描く側面状態となり、図１におけるレ−ル１の長手方向にＥＬ電飾部１１をスライド可能な形態に、また、図５におけるレ−ル１からＥＬ電飾部１１を矢印５５方向に着脱可能な形態になる。【００２９】  図４の左下段図４６において、嵌合部の両翼部４８、４９のＥＬ駆動受電端子３６、３７、ならびに信号受送電端子３８、３９が、レ−ル１の側辺内部のＥＬ駆動用電力ライン７、８、ならびに信号用電気ライン９、１０との電気的接触を完全化するため、嵌合部３の内部でバネ作用などの仕掛で、前記電気各端子を挟み込むように圧力を掛けると反発状態で押圧されるようにする。
この方法としては、電気機器の電池ホ−ルダの板状バネ、螺旋状バネなど当業者に知られている方法を任意に適用できる。【００３０】  次に、嵌合部３の形状などの問題で、内部でバネ作用などの仕掛を設けることができない場合の例を次に示す。
フリ−状態、あるいは電飾部が係止されていないフリ−部分のレ−ル１について、前記翼状係止具において、前記レ−ル横断面向きについて、嵌合部３の図４の左下段図４６の正面状態における両翼の前記電気端子間の幅長５０を、図２の左図１８の横断面の両側辺２３、２４の内側間の幅より僅かに長くしておく。
かようにすることによって、レ−ル１に前記ＥＬ電飾部が係止している部分の前記レ−ルの横断面の両側辺の内側が、前記レ−ルの横断面方向の弾性によってフリ−状態に戻ろうとするところの、前記嵌合部の翼状部を挟み込むような押圧力が生じ、前記翼状係止具が前記レ−ルに係止しているとき、前記レ−ルへの前記ＥＬ電飾部の係止、および前記電気端子の電気的接触を完全化させることができる。【００３１】  次に、本発明を実施するための部材について説明する。
前記ＥＬパネルの一つのＥＬ素子は、発光面側から透明電極層、ＥＬ発光層、絶縁体層、背面電極層の順の積層構造であり、これに表裏外面を保護する保護層を積層してＥＬパネルとする。
ＥＬ素子シ−トの各層を薄くすることで、かなり薄い発光パネルとすることが可能であり、前記透明電極層と背面電極層の間にＥＬ発光層と絶縁体層を１０層以上積層することができ、これを利用するなどして発光色相、曲面発光、多色分割発光、あるいは点滅などが前記ＥＬ制御駆動装置の設定とのかねあいで任意に可能である。
かように、当業界に知られているＥＬパネルを適宜に適用できる。【００３２】  文字、絵柄などの表示は、ＥＬパネルそのものの機能である、多色分割発光などの手法によっても可能であるが、印刷や手書きなどで文字、絵柄などを表示した合成樹脂の透明フィルム、シ−ト、あるいはガラスなどを貼付する方法でもよい。
貼付法は、粘着剤による方法や、透明ホ−ルダをＥＬパネルの発光面に接合しておき、文字、絵柄などのシ−トを差し込む如き方法など任意に適用できる。【００３３】  前記レ−ルは、金属製、合成樹脂製など任意に適用できる。
金属製の場合は、カ−テンレ−ルに見られるような、鋼板を加工したものでもよく、アルミニウムなどの非鉄金属も適用できる。
金属製レ−ルの場合は、電気ラインとレ−ル躯体の間に絶縁シ−トが必要であるが、前記レ−ル躯体そのものが導電性であるので、図２の右図２０に描くように、これをＥＬ駆動用電力ラインと信号用電気ラインの各一対の片方の共通１条として利用し、絶縁シ−トを要する電気ラインは２条とする方法がとれる利点がある。【００３４】  合成樹脂の場合は、熱可塑性樹脂の押出し成形法によるレ−ルが用いられ、樹脂種類としては、ＰＰ（ポリプロピレン）樹脂、ＰＶＣ（塩化ビニル）樹脂、耐衝撃性ポリスチレン樹脂、ＡＢＳ（アクリロニトリル・ブタジエン・スチレン）樹脂など、当業者に知られている汎用樹脂が適用できる。
なお、前記レ−ル横断面の弾力性を利用する、前記電気端子の接圧法による場合は、鋼板、アルミニウムなどの金属や合成樹脂は、変位付与の初期の応力−歪特性においては、弾性体の性能を示すので、特に脆い金属や合成樹脂の場合を除いて殆ど適用できる。【００３５】  前記ＥＬ電飾部における前記嵌合部、前記頸部、前記台座部からなる前記翼状係止具は、電気部材であると共に、硬さと粘りが必要であるゆえ、ＰＥＴ（ポリエステル）樹脂、ＡＢＳ樹脂、ポリアセタ−ル樹脂などの耐衝撃性がある樹脂の使用が望ましい。
各電気端子は、銅材、真鍮材、ステンレス鋼材、ニッケルメッキ鋼材など、電気接点として使われている金属材料から任意に適用できる。【００３６】  前記レ−ルの電気ラインは、アルミニウム箔、銅箔など偏平で広い面積をカバ−できる導電材料が適用できる。
また、ＰＥＴ樹脂シ−トにアルミニウムなどを、蒸着、メッキ、スパッタリングなどして作られた、メタライジング合成樹脂シ−トやフィルも適用できるが、金属が露出している導電面を表に使用する注意が必要である。
これらをスリットしたテ−プ状の導電材料を、前記レ−ルの側辺の内側に貼付する接着剤や粘着材は、前記翼状係止具の着脱に伴う嵌合部との摺動に耐える接合性の強固な材料の選定をする必要がある。
前記レ−ルが合成樹脂製の場合のＰＰ樹脂などは、適用接着剤が限られているので、アクリル系の特殊樹脂を使用するなどの注意を要する。
粘着剤の場合は、アクリル系、ゴム系などが適用できる。
以上が、本発明を実施するための部材について説明である。【００３７】  次に、同一レ−ルに係止するＥＬ電飾部を同期点滅させる方法について記す。
図６は、本発明のＥＬコ−ドレス点灯制御パネルの電気系統の一例のブロック線図である。
図６において、前記レ−ルに係止されている二つのＥＬ電飾部の、破線で囲むそれぞれのブロック線図で示すＥＬ制御駆動装置６１、６２であり、設定値を除いて回路としては同一である。
図６において、一対のＥＬ駆動用電力ライン７、８、ならびに一対の信号用電気ライン９、１０は、図６上部に描く二本の破線内に示す４条の電気ライン６０で、レ−ルの内側に具備されている。【００３８】  ＥＬパネル駆動部分について説明すると、電圧１００Ｖなどで配電されている外部電力を、外部電力受電部６３からスイッチ６４を経て、電力トランス６５の１次側６６に供給し、２次側６７において、例えば電圧１２Ｖとか２４Ｖなどの、電圧が大凡３０Ｖ程度以下の低圧の電力として前記レ−ル内の、一対のＥＬ駆動用電力ライン７と８に供給されている。
なお、一対の信号用電気ライン９と１０は、図６では二個で描いている複数のＥＬ電飾部の連携信号用ラインであるので、前記レ−ル内に具備するだけでよく、外部との繋ながりはない。【００３９】  図６において、ＥＬ駆動用電力ライン７、８から前記ＥＬ電飾部の各駆動受電端子で低圧電力を受電し、使用ＥＬパネルに適合する電圧と周波数にＥＬインバ−タで変換してＥＬパネル２に電力を印加して点灯させる。
このように、電力トランス６５を用いれば、外部電力と直接接続していないので、人体など接地体が前記導電ラインに触れても電撃を受けることなく、低圧でもあるゆえに火災などの誘因の懸念はない。
なお、インバ−タとは一般には直流を交流にする装置のことをいうが、ここではＥＬパネルに適正な電圧と周波数の電力供給を行うための変換器の意味で用いている。【００４０】  図６に示した回路の例では、ＥＬ制御駆動装置６１、６２において、トランス６８の主コイル６９に電流が流れると、補助コイル７０に同相の信号が発生し、これを増幅器７１に戻すことによって、正帰還となって発振する。
この発振周波数を、２次コイル７２とキャパシタンスであるＥＬパネル２との直列共振周波数が、ＥＬパネル２の発光に適合するように２次コイル７２のインダクタンスを設定してある。
ＥＬパネルに印加される電圧の目安は、大凡１７０〜２２０Ｖ程度、周波数は大凡８００〜１２００Ｈｚ程度である。【００４１】  同一レ−ルに係止された複数のＥＬ電飾部を同期させる場合について記す。
点灯パタ−ン信号発生回路７３は、予め設定された点滅パタ−ンを出力し、増幅器７１への電力供給をこの信号でＯＮ、ＯＦＦすることによって、ＥＬパネル２を前記設定されたパタ−ンで点灯させる。
同期信号回路７４は、点灯パタ−ン信号発生回路７３のパタ−ンの頭出し信号を、パタ−ン信号毎に同期出力するとともに、信号用電気ライン９、１０へも同期信号を出力し、信号用電気ライン９、１０からも同期信号の入力を行う。【００４２】  複数のＥＬ電飾部が、信号用電気ライン９、１０で接続されている場合、各ＥＬ電飾部の同期信号回路７４の個体差によって、一番早く同期信号を出力した信号を他のＥＬ電飾部の同期回路７４が受け、結果的に前記レ−ルに係止している全てのＥＬ電飾部の同期回路が同一タイミングで点灯パタ−ン信号発生回路７３へ頭出し信号を出力することにより、各ＥＬ電飾部の点滅は同期する。
複数のＥＬ電飾部の同期信号回路７４および点灯パタ−ン信号発生回路７３の同期時間を合わせておくことにより、一番同期の早いＥＬ電飾部の同期信号を他のＥＬ電飾部が受け、点灯パタ−ンの頭が揃う。【００４３】  図７は、一つの例として時間軸上における三つのＥＬ電飾部の同期信号および点灯パタ−ン信号のタイミング略図である。
図７において、三つのＥＬ電飾部を示すＥＬＰ１、ＥＬＰ２、ＥＬＰ３は、同一レ−ルに係止されているＥＬ電飾部で、横軸は時間ｔである。
ＳＳ軸には同期信号のタイミングを描き、（ｈｉ）は電圧が高、（ｌｏ）は電圧が低を示す。
ＢＰＳ軸には点滅パタ−ン信号のタイミングを描き、ＯＮは点灯、ＯＦＦは消灯を示す。【００４４】  図７において、ＥＬ電飾部であるＥＬＰ２およびＥＬＰ３は、一番早いＥＬＰ１の同期信号を受け、同期信号の頭が矢印７７方向に移動して揃う様子を示す。
点滅パタ−ン信号は、各ＥＬ電飾部でおのおの設定されている。
図７の例の場合、ＥＬＰ１→ＥＬＰ２→ＥＬＰ３と順次点灯することになる。
各点滅パタ−ンを同一にすると、当然全てのＥＬ電飾部が同時に点滅することになる。【００４５】  ＥＬ制御駆動装置は、特定のＥＬパネル専用であるので、前記ＥＬパネルに最も適する電圧と周波数で固定しておけばよく、よってコンパクトな容積に纏めることができる。
したがって、前記ＥＬ制御駆動装置は、例えば立方形の場合でいえば、一辺が１５ｍｍ程度の極めて小さな部材とすることができるので、前記ＥＬ電飾部に備えても殆ど邪魔にならず、着脱などの障害にもならない。【００４６】  前記レ−ルへのＥＬ電飾部を係止する個数は１個以上の任意数であって、さらにＥＬ電飾部にＥＬインバ−タ部が装備されているゆえ、ＥＬパネルのサイズや発光形式の異なるＥＬパネルを装備したＥＬ電飾部を同一レ−ルに係止して使用することも可能である。
また、レ−ル自体の取付け位置は、図１では開口部を横向きに描いているが、カ−テンレ−ルの如く開口部が下向きでもよく、あるいは上向きでもよい。
また、前記レ−ルの長手方向は、水平方向でなくて、斜め方向や縦（垂直）方向、場合によっては円形や弧形などでも何ら差し支えない。
【実施例】
【００４７】  レ−ルとして、ＰＰ樹脂製のカ−テンレ−ルを用い、横断面は英字のＣ字形で、図２に描く如き形状で、図２の左図１８に描く断面で説明すると、開口辺２１と奥辺２２は１６ｍｍ、開口部の開口幅３０は６ｍｍ、側辺２３と２４は１０ｍｍ、樹脂躯体の厚さは１ｍｍ、長さは６９ｃｍとした。
側辺２３と２４の内側の前記レ−ルの長手方向には、幅２．５ｍｍのアルミニウム箔を両側面に２条づつアクリル系粘着剤で貼付し、ＥＬ駆動用電力ライン１対についてはその端末をレ−ル端末のプラグのリ−ドに接続し、外部からの低圧電力を受電できるようにした。
図６においては、ＥＬ制御駆動装置６１と６２で表現する複数のＥＬ電飾部は２個の場合であるが、本実施例では３個の場合で説明する。
また、レ−ルに係止する３個のＥＬ電飾部を相互に接続する信号用電気ラインはフリ−状態とした。【００４８】  ＥＬ電飾部について図１で説明すると、ＥＬ電飾部１１に描く如き形状で、ＥＬパネル２のサイズは、幅が６０ｍｍ、上下長４０ｍｍで、厚さは約１．５ｍｍで、裏側に補強板として同サイズの厚さ０．４ｍｍのＰＥＴ樹脂シ−トを貼付した上、嵌合部３、頸部５、台座部４からなる翼状係止具とＥＬ制御駆動装置６を備えた。
前記翼状係具はＰＶＣ樹脂製とし、図４にて説明すると、前記嵌合部については左下段図４６の正面図における嵌合部の翼の正面幅５０を１５ｍｍ、右図４７の側面図における嵌合部の側面幅５１を５ｍｍとし、銅製の埋込み式受電端子を設け、被覆リ−ド線をハンダ付けし、ＥＬ制御駆動装置６に結線した。
図１のＢ−Ｂ断面略図である図３において、前記翼状係具の頸部５の断面は正方形で一辺は３．５ｍｍ、図における横長さは１．５ｍｍとし、台座部４の図における横長さは１６ｍｍ、縦長さ、奥行き長さ共１４ｍｍとした。
また、ＥＬ制御駆動装置６は、図における横長さは１５ｍｍ、縦長さ、奥行き長さ共１６ｍｍとした。【００４９】  ＥＬ電飾部の着脱を図１で説明すると、前記レ−ルにＥＬ電飾部を係止した状態では図１に描く如く、ＥＬパネル２はよこ長状態であるが、前記翼状係止具およびＥＬ制御駆動装置が一体になっているＥＬパネル２を、前記翼状係止具を中心として矢印１２方向に９０度回転させて、たて長状態にした場合には、レ−ル１の長手方向に容易にスライドでき、またレ−ル１から容易に着脱できることが確認された。【００５０】  また、図６におけるレ−ルに具備する一対のＥＬ駆動用電力ライン７と８、一対の信号用電気ライン９と１０、これに対応する前記ＥＬ電飾部のＥＬ駆動受電端子ならびに前記信号用電気ラインの接続、また、ＥＬ電飾部のＥＬ制御駆動装置の電気回路は、ブロック線図で示すＥＬ制御駆動装置６１あるいは６２と同様とした。【００５１】  前記レ−ルのＥＬ駆動用電力ライン７と８に、図６に描くように外部電力として電圧１００Ｖの通常の交流電気を受電部６３からスイッチ６４経由で電力トランス６５の１次側６６に繋ぎ、２次側６７に１２Ｖで出力し、前記レ−ルの端部の前記プラグに印加した。
前記レ−ルに係止された各ＥＬ電飾部の前記ＥＬ制御駆動装置で、前記ＥＬシ−トに１９０Ｖ、１０００Ｈｚの交流電力を印加したところ、前記ＥＬパネルが点灯し、その輝度は約４００ｃｄ／ｍ２であった。【００５２】  次に、同一レ−ルに係止したＥＬ電飾部３個の同期点滅テストを行った。
３個のＥＬ電飾部の同期信号および点滅パタ−ン信号のタイミングは、図７に描く場合に準拠した。
図７において、３個のＥＬ電飾部をおのおのＥＬＰ１、ＥＬＰ２、ＥＬＰ３とし、同期信号ＳＳの（ｈｉ）時間、つまり（ｌｏ）から次の（ｌｏ）迄の時間を３０秒に設定し、点灯パタ−ン時間、つまりＢＰＳの（ＯＮ）時間を各８秒に設定した。
結果は、ＥＬＰ１のＥＬパネルが８秒間点灯、これが消灯すると共にＥＬＰ２が８秒間点灯、これが消灯すると共にＥＬＰ３が８秒間点灯し、次いで全て６秒間消灯した。
この点灯パタ−ンで繰り返し動作することを確認した。
したがって、本発明のＥＬコ−ドレス点灯制御パネルが、正常に計画的に連携して制御されることが分かった。
【産業上の利用可能性】
【００５３】  外部電源はレ−ル端部から低圧電力が供給されていて、カ−テンレ−ルの如き単純なレ−ルにＥＬ電飾部を係止するだけで、１個以上複数個のＥＬパネルを任意に点灯することができるので、人の注意を喚起するマーク標識、注意事項の標示、製品や商品の位置など、近傍の目障りで邪魔なコ−ドなしで標示でき、商店、見本市、工場などでの利用度が高い。
また、レ−ルのＥＬ駆動用電力ラインには低圧の電力印加によって、各ＥＬパネルの裏側にセットされた小型インバ−タで周波数の高い高圧にしているので、周波数の高い高圧電力をコ−ドで印加する場合に比較して、ＥＬ素子の背面電極とコ−ドの接触不良によるなどの、コ−ド使用に伴う不具合が解消され、安全性も高い。
また、レ−ルの長手方向の導電ラインが手に触れ難い場所にあり、さらに電圧が低圧で、電力トランス経由であるので、接地体である人体に触れても電撃などを受けず、火災などの誘発の恐れもないので、極めて安全である。【００５４】  また、同一レ−ルに２個以上の複数のＥＬ電飾部を規則的に点滅させる場合、同期インタ−バル時間を任意に設定し、各ＥＬ電飾部ごとに点灯開始時間と点灯時間とを前記時間内で任意に設定することによって、人の視覚的な注意を高く喚起することができる。
したがって、ＥＬパネル自体の機能である多色発光、多色分割発光などの広範囲な発光法と本発明とを組み合わせることによって、マ−キング、標識、装飾用イルミネ−ションなどがで、光によるディスプレイ効果を遺憾なく発揮できる。
よって、本発明はＥＬパネルのなかでも、店舖などのショ−ウインドウ、商品棚、ショ−ケ−ス、また、見本市のブ−スにおける見本表示など、近くから見る人の視覚的な注意を喚起することが目的の、小型の標識、小型のマ−キング、小ディスプレイなどに好適で、利用範囲が極めて広い。
【図面の簡単な説明】
【００５５】
【図１】  ＥＬコ−ドレス点灯制御パネルの斜視略図
【図２】  レ−ルの横断面拡大略図
【図３】  レ−ルに係止されたＥＬ電飾部の部分断面略図
【図４】  翼状係止具の嵌合部と頸部の略図
【図５】  レ−ルから着脱可能時の翼状係止具の形態の断面略図
【図６】  ＥＬコ−ドレス点灯制御パネルの電気回路の一例のブロック線図略図
【図７】  ３個のＥＬ電飾部の同期信号と点灯パタ−ン信号のタイミング略図
【符号の説明】
【００５６】  １  レ−ル
２  ＥＬパネル
３  翼状係止具の嵌合部
４  翼状係止具の台座部
５  翼状係止具の頸部
６  ＥＬ制御駆動装置
７、８  ＥＬ駆動用電力ライン
９、１０  信号用電気ライン
１１  ＥＬ電飾部
１２  矢印；ＥＬ電飾部の着脱回転方向
１８  左図；レ−ル断面の４条式のＥＬ駆動電力ラインと信号用電気ライン
１９  中図；レ−ル断面の３条式ライン式のＥＬ駆動電力ラインと信号用電気ライン
２０  右図；レ−ル躯体を１条とする３条式のＥＬ駆動電力ラインと信号用電気ライン
２１  レ−ル横断面の開口辺
２２  レ−ル横断面の奥辺
２３、２４  レ−ル横断面の側辺
２５  共通ライン
２６  ＥＬ駆動用電力ラインの片側
２７  信号用電気ラインの片側
２８  絶縁シ−ト
２９  導電性レ−ルの躯体側辺の内側
３０  レ−ル開口部の開口幅
３６、３７  駆動受電端子
３８、３９  信号受送電端子
４５  左上段図；嵌合部の平面図
４６  左下段図；嵌合部の正面図
４７  右図；嵌合部の側面図
４８、４９  嵌合部の両翼状形部
５０  ＥＬ電飾部がレ−ルに係止状態のときの嵌合部の正面幅
５１  ＥＬ電飾部がレ−ルに着脱可能状態のときの嵌合部の側面幅
５５  矢印；着脱方向
６０  レ−ルの電気ライン部
６１、６２  ＥＬ電飾部のＥＬ制御駆動装置のブロック線図
６３  外部電力受電部
６５  電力トランス
６６  １次側
６７  ２次側
６８  トランス
６９  主コイル
７０  補助コイル
７１  増幅器
７２  ２次コイル
７３  点灯パタ−ン信号発生回路
７４  同期信号回路
７７  矢印；同期信号の頭出し移動方向
Ａ−Ａ  レ−ル横断面
Ｂ−Ｂ  ＥＬ電飾部の一部分横断面
ＥＬＰ１  ＥＬ電飾部１の信号（ＥＬ  ｐａｎｅｌ  １）
ＥＬＰ２  ＥＬ電飾部２の信号（ＥＬ  ｐａｎｅｌ  ２）
ＥＬＰ３  ＥＬ電飾部３の信号（ＥＬ  ｐａｎｅｌ  ３）
ＳＳ  同期信号（ｓｙｎｃｈｒｏｎｉｚｉｎｇ  ｓｉｇｎａｌ）
ＢＰＳ  点灯信号（ｂｕｒｎｉｎｇ  ｐａｎｅｌ  ｓｉｇｎａｌ）
ｈｉ  電圧高
ｌｏ  電圧低
ＯＮ    入り
ＯＦＦ  切り
【図１】
2007034240.tif 000003
【図２】
2007034240.tif 000004
【図３】
2007034240.tif 000005
【図４】
2007034240.tif 000006
【図５】
2007034240.tif 000007
【図６】
2007034240.tif 000008
【図７】
2007034240.tif 000009